(57)【特許請求の範囲】
【請求項１】
所定の条件により、複数の電子機器が行う動作をそれぞれ制御する稼働状態と、前記制御を休止する省電力状態とに移行可能な複数系統の制御装置と、
前記各系統の制御装置に駆動電力を供給する複数の電源装置と、
前記各電源装置に電力を供給する二次電池と、
前記二次電池の充放電電流を検出する電流センサと、
前記制御装置および前記電源装置の駆動を制御する駆動制御手段と、
前記二次電池の充電状態を監視する監視装置と
を備え、
前記各電源装置は、
前記駆動制御手段と前記複数系統の各制御装置との間に配置されて、前記各制御装置への電源供給を行う第１のスイッチと、
前記駆動制御手段と前記複数系統の各制御装置との間に配置されて、暗電流の異常が発生しているか判定する系統の系統分けを行う複数の第２のスイッチと
を備え、
前記駆動制御手段は、
前記電流センサによる前記二次電池の放電電流の検出結果に基いて、何れかの制御装置に暗電流の異常が発生しているか否かを判定すると共に、
前記電流センサは、前記二次電池の充放電電流の検出結果を前記監視装置に送信し、
暗電流の異常が発生していると判定された時点で、暗電流の異常が発生している系統の判断は行わずに、前記制御装置を正常状態へ復帰させる初期化を行うように前記第１のスイッチおよび前記各第２のスイッチのオン・オフ状態を制御することを特徴とする電源制御システム。
【発明の詳細な説明】
【技術分野】
【０００１】
本発明は、電源制御システムに係り、特に暗電流を監視して負荷への電源供給または電源遮断の制御を行う電源制御システムに関する。
【背景技術】
【０００２】
近年、車両等に搭載される電子デバイス（電子機器）の数は増加傾向にあり、それらの電子デバイスを制御する制御装置としてのＥＣＵ（Electronic Control Unit：電子制御ユニット）の搭載数も増えている。そのため、何れかのＥＣＵに動作不具合を生じる確率も増加する傾向にある。
【０００３】
特に、車両に搭載された車両システムをオフしたとき（即ち、イグニッションスイッチをオフ状態としたとき）に、何れかのＥＣＵが何等かの不具合により省電力状態（スリープ状態などともいう）に移行できなかった場合には、暗電流が増加してしまう。この増加した暗電流により、車載バッテリの電力が消費されたり、あるいはバッテリ自体の劣化を招き、ひいては車両が始動不能な状態となる虞がある。
【０００４】
なお、「暗電流」とは、例えば車両において、イグニッションスイッチを切った状態で各種回路に流れる電流をいい、ＥＣＵを構成するマイクロコンピュータのスタンバイ電流や時計、セキュリティシステム等によって消費される電流が含まれる。車両における暗電流は、一般的には５０ｍＡ以下であるが、より多くの電装品等を搭載する車両ではさらに大きな暗電流を消費するものもある。
【０００５】
そこで、従来から各ＥＣＵの消費電流を監視し、その監視結果に基いて電源を遮断するなどして暗電流を抑制する電源制御システムに関する技術が種々提案されている（例えば、特許文献１等）。
【０００６】
特許文献１に係る電源制御システムでは、電流値状態を各制御装置（ＥＣＵ）が自己申告し、その合計値をもとに監視装置で閾値を計算し、閾値を超えた場合に電源の遮断を行うようにしている。
【０００７】
より具体的には、特許文献１に係る電源制御システム６００では、図８に示すように、同じ電源ライン５００につながる複数の制御装置５０１Ａ、５０１Ｂ、５０１Ｃは、それぞれ自分が把握している自身の動作状態もしくはその動作状態に適合する割当閾電流値を、遮断閾電流値の算定用情報として監視装置５０１Ｅに通信ライン５３０を介して自己申告する。監視装置５０１Ｅ側では、これを受けて、個々の制御装置５０１Ａ、５０１Ｂ、５０１Ｃに対する割当閾電流値を定め、それら割当閾電源電流の算定値を用いて遮断閾電流値を動的に更新しつつ設定し、電源出力電流値が遮断閾電流値を超えた場合に、電源ライン５００上の電源スイッチ５１０を遮断状態とするようになっている。
【先行技術文献】
【特許文献】
【０００８】
【特許文献１】特開２００９−８１９４８号公報
【発明の概要】
【発明が解決しようとする課題】
【０００９】
しかしながら、前記特許文献１に記載された技術では、複数の制御装置（ＥＣＵ）が、閾値の設定について通信による自己申告を行なっており、閾値の精度が高いというメリットがある一方で、すべてのＥＣＵが通信につながっている必要がある。したがって、通信機能を有しないＥＣＵ等については電源制御を行うことができないという難点がある。
【００１０】
また、各ＥＣＵの電流を集計した合計電流でしか電流異常の発生を判断できないため、各ＥＣＵで制御される電子デバイス等の動作状態の組み合わせによっては異常を検知できない場合があるという問題もある。
【００１１】
さらに、従来技術における電流異常の検出回路は、スリープ時とウェイク時で共用されているため、検出時に要求される電流精度の範囲が広くなり、回路構成が複雑化してコストが嵩むという不都合もあった。
【００１２】
本発明は、上記課題に鑑みてなされたものであり、暗電流の異常を検出することができ、また通信機能を有しないＥＣＵの異常も検出することができる電源制御システムを提供することを目的とする。
【課題を解決するための手段】
【００１３】
上記目的を達成するため、請求項１に記載の発明は、所定の条件により、複数の電子機器が行う動作をそれぞれ制御する稼働状態と、前記制御を休止する省電力状態とに移行可能な複数系統の制御装置と、前記各系統の制御装置に駆動電力を供給する複数の電源装置と、前記各電源装置に電力を供給する二次電池と、前記二次電池の充放電電流を検出する電流センサと、前記制御装置および前記電源装置の駆動を制御する駆動制御手段と、前記二次電池の充電状態を監視する監視装置とを備え、前記各電源装置は、前記駆動制御手段と前記複数系統の各制御装置との間に配置されて、前記各制御装置への電源供給を行う第１のスイッチと、前記駆動制御手段と前記複数系統の各制御装置との間に配置されて、暗電流の異常が発生しているか判定する系統の系統分けを行う複数の第２のスイッチとを備え、前記駆動制御手段は、前記電流センサによる前記二次電池の放電電流の検出結果に基いて、何れかの制御装置に暗電流の異常が発生しているか否かを判定すると共に、前記電流センサは、前記二次電池の充放電電流の検出結果を前記監視装置に送信し、暗電流の異常が発生していると判定された時点で、暗電流の異常が発生している系統の判断は行わずに、前記制御装置を正常状態へ復帰させる初期化を行うように前記第１のスイッチおよび前記各第２のスイッチのオン・オフ状態を制御することを特徴とする。
【発明の効果】
【００１８】
本発明によれば、暗電流の異常を検出することができ、また通信機能を有しないＥＣＵの異常も検出することができる電源制御システムを提供することができる。
【図面の簡単な説明】
【００１９】
【図１】第１の実施の形態に係る電源制御システムの回路構成の例を示す回路図である。
【図２】第１の実施の形態に係る電源制御システムの全体構成の例を示す構成図である。
【図３】第１の実施の形態に係る電源制御システムで実行される暗電流異常発生時処理の処理手順の例を示すフローチャートである。
【図４】第１の実施の形態に係る電源制御システムにおける暗電流異常系統検出処理に係るサブルーチンの処理手順の例を示すフローチャートである。
【図５】第１の実施の形態に係る電源制御システムにおけるパワーオンリセット処理に係るサブルーチンの処理手順の例を示すフローチャートである。
【図６】第１の実施の形態に係る電源制御システムにおける暗電流異常検出時の各スイッチのオン・オフ状態を示す図表である。
【図７】第１の実施の形態に係る電源制御システムにおけるパワーオンリセット時の各スイッチのオン・オフ状態を示す図表である。
【図８】従来技術に係る電源制御システムの回路構成の例を示す回路図である。
【図９】第２の実施の形態に係る電源制御システムの回路構成の例を示す回路図である。
【図１０】第２の実施の形態に係る電源制御システムで実行される暗電流異常発生時処理の処理手順の例を示すフローチャートである。
【図１１】第２の実施の形態に係る電源制御システムにおけるパワーオンリセット処理に係るサブルーチンの処理手順の例を示すフローチャートである。
【発明を実施するための形態】
【００２０】
［第１の実施の形態］
図１〜図７を参照して、本発明の第１の実施の形態について説明する。
【００２１】
（電源制御システムの構成例について）
図１は、第１の実施の形態に係る電源制御システムＳ１の回路構成の例を示す回路図である。
【００２２】
本実施の形態に係る電源制御システムＳ１は、例えば車載の時計やセキュリティシステム等の複数の電子機器（図示せず）が行う動作をそれぞれ制御する稼働状態（ウェイク状態ともいう）と、前記制御を休止する省電力状態（スリープ状態ともいう）とに移行可能な複数系統（例えば、系統１〜系統３）の制御装置（ＥＣＵ１〜ＥＣＵ４、ＥＣＵ１０、１１等。以下、制御装置をＥＣＵと称する）と、各系統のＥＣＵ１〜ＥＣＵ４に駆動電力を供給する所定数（図１に示す例では２台）の電源装置（第１の電源装置Ｐ１，第２の電源装置Ｐ２）と、各電源装置に電力を供給するニッケル水素電池やリチウムイオン電池等で構成される二次電池３００と、この二次電池３００の充放電電流を検出する電流センサＳＮと、ＥＣＵ１〜ＥＣＵ４および電源装置Ｐ１，Ｐ２の駆動を制御する駆動制御手段（ＣＰＵまたはロジックＩＣ等で構成される。なお、以降ＣＰＵと略記する）１００とを備えるシステムである。
【００２３】
さらに、図１に示すように、各電源装置Ｐ１制御装置（ＥＣＵ１〜ＥＣＵ４等），Ｐ２は、制御装置（ＥＣＵ１〜ＥＣＵ４等）への電源供給（あるいは予備電源供給）を行う第１のスイッチ（ＳＷ０）と、制御装置（ＥＣＵ１〜ＥＣＵ４等）の系統分けを行う第２のスイッチ（ＳＷ１〜３）を備えている。
【００２４】
より具体的には、第１の電源装置Ｐ１を例に説明する（即ち、第２の電源装置Ｐ２等の他の電源装置も同様の構成を有する）と、第１の電源装置Ｐ１の接続コネクタＣ３には電力線ＰＬ１を介して二次電池３００が接続されている。電力線ＰＬ１は、電源装置Ｐ１内において分岐され、フューズ１５０および電力線ＰＬ２を介して外部の第２の電源装置Ｐ２に接続されている。
【００２５】
また、フューズ１５０を介して延設される電力線には、ノードＮ１を介して第１のスイッチＳＷ０および第２のスイッチＳＷ１〜ＳＷ３が並列接続されている。
【００２６】
なお、他の構成の詳細については後述する。
【００２７】
そして、第１のスイッチＳＷ０は、通常時においてオン状態を維持し各制御装置（ＥＣＵ１〜ＥＣＵ４等）に通電するように、第２のスイッチＳＷ１〜ＳＷ３は所定の制御装置（ＥＣＵ１〜ＥＣＵ４等）に接続され各種状態に応じてオン・オフ状態が切り換えられるようにそれぞれ構成されている。
【００２８】
また、第１のスイッチＳＷ０は、当該第１のスイッチＳＷ０を流れる電流を検出する電流検出手段４００に接続されている。
【００２９】
より具体的には、電流検出手段４００は、第１のスイッチＳＷ０に直列接続されるセンス抵抗Ｒと、センス抵抗Ｒの両端から延設される配線Ｌ１、Ｌ２を介して接続されるコンパレータ２００とから構成される。そして、センス抵抗Ｒに流れる電流による電圧降下に基づいてコンパレータ２００から出力される信号は、配線Ｌ４を介してＣＰＵ１００のＡ／Ｄ（アナログ−デジタル変換）端子１０７に入力されるようになっている。この構成により、第１のスイッチＳＷ０に流れる電流を検出することができる。ここで、電流検出手段４００は必須ではない。即ち、後述するように電流検出手段４００を備える場合には、系統（例えば、系統１〜３）の何れにおいて暗電流異常が発生しているかまで特定できるという効果が得られ、一方、電流検出手段４００を備えない場合には、何れかのＥＣＵ１〜ＥＣＵ４で暗電流異常が発生しているか否かを判定できるという効果に留まる。なお、電流検出手段４００を備えない構成については、第２の実施の形態として後述する。
【００３０】
また、センス抵抗Ｒの第１のスイッチＳＷ０と反対側には、ノードＮ２を介して逆流防止用ダイオードＤ１ａ〜Ｄ１ｃが接続され、ノードＮ４〜Ｎ６およびコネクタＣ４〜Ｃ６を介して、ＥＣＵ１〜ＥＣＵ４に接続されている。
【００３１】
図１に示す例では、第１の電源装置Ｐ１の外部のノードＮ７で、ＥＣＵ１とＥＣＵは接続され、同一系統に属するようになっている。
【００３２】
また、ノードＮ１とＮ４との間には第２のスイッチＳＷ１が接続されている。なお、第２のスイッチＳＷ１が備える制御端子は、配線Ｌ５を介してＣＰＵ１００の制御信号の出力端子１０４に接続されている。
【００３３】
また、ノードＮ１とＮ５との間には第２のスイッチＳＷ２が接続されている。なお、第２のスイッチＳＷ２が備える制御端子は、配線Ｌ６を介してＣＰＵ１００の制御信号の出力端子１０５に接続されている。
【００３４】
また、ノードＮ１とＮ６との間には第２のスイッチＳＷ３が接続されている。なお、第２のスイッチＳＷ３が備える制御端子は、配線Ｌ７を介してＣＰＵ１００の制御信号の出力端子１０６に接続されている。
【００３５】
また、ＣＰＵ１００の通信用端子１０１には、インターフェースＩ／Ｆ２０１、コネクタＣ１およびデータ線ＤＬ１を介して電流センサＳＮが接続され、二次電池３００の充放電電流の検出結果を受信するようになっている。
【００３６】
また、ＣＰＵ１００の通信端子１０２には、インターフェースＩ／Ｆ２０２、コネクタＣ２およびデータ線ＤＬ２を介して第２の電源装置Ｐ２が接続されている。
【００３７】
なお、系統（系統１〜系統３）の具体例については、図６を参照して後述する。
【００３８】
そして、ＣＰＵ１００は、電流センサＳＮによる二次電池３００の放電電流の検出結果と、第１のスイッチＳＷ０および第２のスイッチＳＷ１〜ＳＷ３のオン・オフ状態と、電流検出手段４００による検出結果とに基いて、系統（系統１〜系統３）の何れに暗電流の異常が発生しているかを判定するようになっている。なお、暗電流異常の判定の仕方の詳細については後述する。
【００３９】
また、ＣＰＵ１００は、暗電流の異常が発生していると判定された系統への電力供給を遮断するように第１のスイッチＳＷ０または第２のスイッチＳＷ１〜ＳＷ３のオン・オフ状態の切換えを制御するようになっている。これにより、二次電池３００からの不要な電力供給が防止され、二次電池３００の消耗（いわゆるバッテリ上がりの状態）を未然に抑制することができる。よって、本実施の形態に係る電源制御システムＳ１を車両等に搭載した場合に、バッテリ上がりによりエンジンを始動できないなどの事態の発生を抑制することができる。
【００４０】
さらに、ＣＰＵ１００は、暗電流の異常が発生していると判定された系統に属する制御装置（ＥＣＵ１〜ＥＣＵ４等）について正常状態へ復帰させる初期化（パワーオンリセット）を行うように制御するようになっている。なお、各制御の処理手順については後述する。
【００４１】
このような構成の電源制御システムＳ１によれば、通信に接続されていないＥＣＵに異常が発生した場合にも検知することができるという効果がある。また、系統ごとの電流値に基いて異常を判定することができる。さらに、パワーオンリセットにより、異常復帰動作を行うことができるなどの効果を得ることができる。
【００４２】
さらに、本実施の形態に係る電源制御システムＳ１において、電流センサＳＮは、二次電池３００の充放電電流の検出結果を当該二次電池３００の充電状態を監視する監視装置（例えば、外部に設置されるサーバ等）に送信するように構成してもよい。
【００４３】
また、電流センサＳＮによって、所定の車両暗電流よりも大きい消費電流を検知した場合には、通信により電源装置Ｐ１，Ｐ２または制御装置（ＥＣＵ１〜ＥＣＵ４等）を起動させるように構成してもよい。
【００４４】
また、電流センサＳＮによる暗電流異常検知により、ＥＣＵ１〜ＥＣＵ４等が起動した場合には、ＥＣＵ１〜ＥＣＵ４等は各電源装置Ｐ１，Ｐ２に暗電流異常の発生を通知するように構成することもできる。
【００４５】
そして、電源装置Ｐ１，Ｐ２は、暗電流異常の発生信号を受信した場合には、第１のスイッチＳＷ０と第２のスイッチＳＷ１〜３のオン・オフ状態を制御するようにしてもよい。
【００４６】
また、電源装置Ｐ１，Ｐ２またはＥＣＵ１〜ＥＣＵ４等は、パワーオンリセットを実行した後、電流センサＳＮに対してスリープ状態への移行するよう制御するようにしてもよい。
【００４７】
また、電源装置Ｐ１，Ｐ２は、暗電流異常が発生していない状態における各系統の電流値を検出して不揮発性メモリ等に記録し、その記録結果と検出した電流値との差分を基準にして暗電流異常が発生した系統の判定を行うようにしてもよい。これにより、電流検出の高精度化を不要としてコストの低廉化等を図ることができる。
【００４８】
以上のような構成によれば、長期間の駐車等により、暗電流が正常範囲であってもバッテリ上がりでエンジン始動が不可となるような場合には、第１のスイッチＳＷ０と第２のスイッチＳＷ１〜３をオフにして、かかる事態の発生を未然に抑制することができる。
【００４９】
（電源制御システムの全体構成について）
図２は、実施の形態に係る電源制御システムＳ１の全体構成の例を示す構成図である。
【００５０】
図２には、４台の電源装置Ｐ１〜Ｐ４により電源制御システムＳ１が構成される例を示す。なお、電源装置の台数は、図１のように２台、図２のように４台の場合に限定されず、任意の数とすることができる。
【００５１】
各電源装置Ｐ１〜Ｐ４は、図１に示した電源装置Ｐ１と同様の構成を有している。
【００５２】
図２に示す例では、電力系については、二次電池３００および電源装置Ｐ１〜Ｐ４が、電力線ＰＬ１〜ＰＬ４を介して接続されている。
【００５３】
また、信号系については、電流センサＳＮおよび各電源装置Ｐ１〜Ｐ４が備えるＣＰＵ１００が、データ線ＤＬ１〜ＤＬ４を介して接続されている。
【００５４】
このような構成の電源制御システムＳ１により、各電源装置Ｐ１〜Ｐ４において、通信に接続されていないＥＣＵに異常が発生した場合にも検知することができる。また、系統ごとの電流値に基いて異常を判定することができ、また、パワーオンリセットを行うことにより、ＥＣＵの異常復帰動作を行うことができるなどの効果を奏することができる。
【００５５】
（暗電流異常発生時処理）
図３から図５に示すフローチャートを参照して、本実施の形態に係る電源制御システムＳ１で実行される暗電流異常発生時処理の処理手順の例について説明する。
【００５６】
ここで、図３は本実施の形態に係る電源制御システムＳ１で実行される暗電流異常発生時処理の処理手順の例を示すフローチャートである。
【００５７】
また、図４は暗電流異常系統検出処理に係るサブルーチンの処理手順の例を示すフローチャート、図５はパワーオンリセット処理に係るサブルーチンの処理手順の例を示すフローチャートである。
【００５８】
なお、説明の便宜上、電源制御システムＳ１は車載され、暗電流異常発生時処理は、図１に示す電源装置Ｐ１のＣＰＵ１００で実行されているものとする。
【００５９】
図３のフローチャートに示す暗電流異常発生時処理が開始されると、まずステップＳ１０で暗電流異常の発生信号を受信したか否かが判定される。即ち、二次電池３００が備える電流センサＳＮが、予め設定される車両暗電流よりも大きな消費電流を検出した場合（暗電流異常が発生している場合）に、その検出結果がデータ線ＤＬ１を介してＣＰＵ１００に送信されるが、当該検出結果の信号（暗電流異常の発生信号）を受信したか否かが判定される。
【００６０】
そして、判定結果が「Ｎｏ」の場合にはそのまま処理を終了し、「Ｙｅｓ」の場合にはステップＳ１１に移行する。
【００６１】
ステップＳ１１では、暗電流異常系統検出処理のサブルーチンが実行される。
【００６２】
ここで、図４のフローチャートを参照して、暗電流異常系統検出処理の処理手順について説明する。なお、暗電流異常系統検出処理の実行時における各スイッチ（第１のスイッチＳＷ０、第２のスイッチＳＷ１〜３）のオン・オフ状態は、図６に示す図表の通りである。
【００６３】
ステップＳ１１０１では、第１のスイッチＳＷ０のオン（ＯＮ）再設定処理が行われる。これにより、図６に示すように、各系統（系統１〜系統３）における暗電流異常系統検出処理においてＳＷ０は「ＯＮ」状態を維持する。
【００６４】
次いで、ステップＳ１１０２では、第２のスイッチＳＷ１〜ｎ（ｎは整数。図１に示す例ではｎ＝３）についてオン（ＯＮ）設定処理が行われる。これにより、一旦、全ての第２のスイッチＳＷ１〜ｎはＯＮ状態に設定される。
【００６５】
次にステップＳ１１０３では、系統番号「ｉ」を１に設定（系統ｉ＝１）してステップＳ１１０４に移行する。
【００６６】
ステップＳ１１０４では、ＳＷｉのオフ（ＯＦＦ）設定処理が実行される。これにより、図６における「系統１」について、第２のスイッチＳＷ１のみがオフ状態となり、他の第１のスイッチＳＷ０、第２のスイッチＳＷ２、ＳＷ３がオンされた状態となる。
【００６７】
ステップＳ１１０５では、第１のスイッチＳＷ０に接続された電流検出手段４００の検出結果を用いた電流検出処理が実行され、ステップＳ１１０６では、電流検出結果に基いて暗電流異常判定処理が実行される。即ち、電流検出手段４００による検出結果が、予め設定された暗電流異常の閾値を超えた場合を「異常」、超えていない場合を「正常」と判定する。
【００６８】
そして、「異常」と判定された場合にはステップＳ１１０７に移行して、異常系統記録処理を行う。即ち、系統１で「異常」と判定された場合には、その旨を例えばＣＰＵ１００に接続される不揮発性メモリ（図示せず）等に格納してステップＳ１１０８に移行する。
【００６９】
また、ステップＳ１１０６で「正常」と判定された場合にはステップＳ１１０８に移行して、ＳＷｉ（即ち、ＳＷ１）のＯＮ設定処理を実行してステップＳ１１０９に移行する。
【００７０】
ステップＳ１１０９では、ｉ≧ｎとなったか否かを判定する異常系統判定の終了確認処理が行われる。そして、未だｉ≧ｎではないと判定された場合（「Ｎｏ」の場合）にはステップＳ１１１０に移行し、系統番号「ｉ」を「１」インクリメントしてからステップＳ１１０４に移行する。これにより、系統番号「ｉ」が所定数（図１に示す構成ではｉ＝３）に達するまで、ステップＳ１１０４〜１１０９までの処理が繰り返して実行される。
【００７１】
即ち、図６に示すように、「系統２」について、第２のスイッチＳＷ２のみがオフ状態となり、他の第１のスイッチＳＷ０、第２のスイッチＳＷ１、ＳＷ３がオンされた状態における暗電流異常に有無の判定処理等、「系統３」について、第２のスイッチＳＷ３のみがオフ状態となり、他の第１のスイッチＳＷ０、第２のスイッチＳＷ１、ＳＷ２がオンされた状態における暗電流異常に有無の判定処理等が順次実行される。
【００７２】
これにより、何れの系統に暗電流異常が発生しているかを漏れなく検出することができる。
【００７３】
一方、ステップＳ１１０９で、ｉ≧ｎとなったと判定された場合（「Ｙｅｓ」の場合）にはステップＳ１１１１に移行して、全ての第２のスイッチＳＷ１〜ＳＷｎをＯＦＦ設定する処理を実行してから図３のメイン処理にリターンする。
【００７４】
図３のフローチャートに戻って、次いでステップＳ１２で暗電流異常系統が検出されたか否かが判定される。そして、検出されなかったと判定された場合（「Ｎｏ」の場合）には、そのまま処理を終了する。一方、検出されたと判定された場合（「Ｙｅｓ」の場合）には、ステップＳ１３に移行してパワーオンリセット処理のサブルーチンが実行される。
【００７５】
ここで、図５のフローチャートを参照して、パワーオンリセット処理の処理手順について説明する。なお、パワーオンリセット処理の実行時における各スイッチ（第１のスイッチＳＷ０、第２のスイッチＳＷ１〜３）のオン・オフ状態は、図７に示す図表の通りである。
【００７６】
ステップＳ１３０１では、第２のスイッチＳＷ１〜ｎ（ｎは整数。図１に示す例ではｎ＝３）についてオン（ＯＮ）設定処理が行われる。これにより、一旦、全ての第２のスイッチＳＷ１〜ｎはＯＮ状態に設定される。
【００７７】
次いで、ステップＳ１３０２では、第１のスイッチＳＷ０のオフ（ＯＦＦ）設定処理が行われる。
【００７８】
次にステップＳ１３０３では、系統番号「ｉ」を１に設定（系統ｉ＝１）してステップＳ１３０４に移行する。
【００７９】
ステップＳ１３０４では、系統ｉ（即ち、ここでは系統１）＝異常系統であるか否かが判定される。
【００８０】
判定結果が「Ｎｏ」の場合にはステップＳ１３０８に移行し、「Ｙｅｓ」の場合にはステップＳ１３０５に移行する。
【００８１】
ステップＳ１３０５では、ＳＷｉ（ここではＳＷ１）のオフ（ＯＦＦ）設定処理を実行する。
【００８２】
これにより、図７に示すように、系統１については、第１のスイッチＳＷ０と第２のスイッチＳＷ１がＯＦＦ、第２のスイッチＳＷ２，ＳＷ３がＯＮの状態とされる。
【００８３】
ステップＳ１３０６では、所定時間（パワーオンリセット時間）が経過したかを判定する時間経過確認処理が実行され、パワーオンリセット時間に達するまで待機し、パワーオンリセット時間に達するとパワーオンリセットを実行してステップＳ１３０７に移行する。
【００８４】
ステップＳ１３０７では、ＳＷｉのＯＮ設定処理を行ってからステップＳ１３０８に移行する。
【００８５】
ステップＳ１３０８では、ｉ≧ｎとなったか否かを判定するパワーオンリセットの終了確認処理が行われる。
【００８６】
そして、未だｉ≧ｎではないと判定された場合（「Ｎｏ」の場合）にはステップＳ１３０９に移行し、系統番号「ｉ」を「１」インクリメントしてからステップＳ１３０４に移行する。これにより、系統番号「ｉ」が所定数（図１に示す構成ではｉ＝３）に達するまで、ステップＳ１３０４〜１３０８までの処理が繰り返して実行される。
【００８７】
即ち、図７に示すように、「系統２」について、第１のスイッチＳＷ０と第２のスイッチＳＷ２がＯＦＦ、第２のスイッチＳＷ１，ＳＷ３がＯＮの状態におけるパワーオンリセット、「系統３」について、第１のスイッチＳＷ０と第２のスイッチＳＷ３がＯＦＦ、第２のスイッチＳＷ１，ＳＷ２がＯＮの状態におけるパワーオンリセットが順次実行される。
【００８８】
これにより、暗電流異常が発生している系統に属するＥＣＵについて漏れなくパワーオンリセットを実行することができる。
【００８９】
一方、ステップＳ１３０８で、ｉ≧ｎとなったと判定された場合（「Ｙｅｓ」の場合）にはステップＳ１３１０に移行して、第１のスイッチＳＷ０のオン設定処理を実行してからステップＳ１３１１に移行する。
【００９０】
ステップＳ１３１１では、全ての第２のスイッチＳＷ１〜ＳＷｎをＯＦＦ設定する処理を実行してから図３のメイン処理にリターンして処理を終了する。
【００９１】
以上述べたように、本実施の形態に係る電源制御システムＳ１によれば、通信に接続されていないＥＣＵに異常が発生した場合にも検知することができる。また、系統ごとの電流値に基いて異常を判定することができ、さらに、パワーオンリセットにより異常復帰動作を行うことができるなどの効果を得ることができる。
【００９２】
また、電源装置Ｐ１等において、暗電流異常が発生していない状態における各系統の電流値を検出して不揮発性メモリ等に記録し、その記録結果と検出した電流値との差分を基準にして暗電流異常が発生した系統の判定を行うようにした場合には、電流検出の高精度化を不要としてコストの低廉化等を図ることができる。
【００９３】
［第２の実施の形態］
図９〜図１１を参照して、本発明の第２の実施の形態について説明する。
【００９４】
（電源制御システムの構成例について）
図９は、第２の実施の形態に係る電源制御システムＳ２の回路構成の例を示す回路図である。
【００９５】
なお、第２の実施の形態において、上述の第１の実施の形態と同様の構成については、同一符号を付して重複した説明は省略する。
【００９６】
第２の実施の形態に係る電源制御システムＳ２が、第１の実施の形態に係る電源制御システムＳ１と異なる点は、各電源装置（Ｐ１等）における電流検出手段４００を省略した点である。
【００９７】
即ち、電流検出手段４００を構成していた第１のスイッチＳＷ０に直列接続されていたセンス抵抗Ｒと、コンパレータ２００とを省いた構成となっている。
【００９８】
このように、電流検出用の抵抗（センス抵抗Ｒ）が無いので、第１のスイッチＳＷ０の系統からＥＣＵ（ＥＣＵ１等）の動作に必要な電力を供給することができる。これにより、第２のスイッチＳＷ１〜ＳＷ３に異常が発生した際には、第１のスイッチＳＷ０からの電源供給（バックアップ）を行うことが可能となるという効果を得ることができる。
【００９９】
なお、本実施の形態では、暗電流異常が発生している系統の判断は行わず、暗電流異常が発生した時点で、各系統をパワーオンリセット処理して、暗電流異常からの復帰処理を行うようにしている。
【０１００】
（暗電流異常発生時処理）
図１０および図１１に示すフローチャートを参照して、本実施の形態に係る電源制御システムＳ２で実行される暗電流異常発生時処理の処理手順の例について説明する。
【０１０１】
ここで、図１０は本実施の形態に係る電源制御システムＳ２で実行される暗電流異常発生時処理の処理手順の例を示すフローチャートである。
【０１０２】
また、図１１はパワーオンリセット処理に係るサブルーチンの処理手順の例を示すフローチャートである。
【０１０３】
なお、説明の便宜上、電源制御システムＳ２は車載され、暗電流異常発生時処理は、図９に示す電源装置Ｐ１のＣＰＵ１００で実行されているものとする。
【０１０４】
図１０のフローチャートに示す暗電流異常発生時処理が開始されると、まずステップＳ２０で暗電流異常の発生信号を受信したか否かが判定される。即ち、二次電池３００が備える電流センサＳＮが、予め設定される車両暗電流よりも大きな消費電流を検出した場合（暗電流異常が発生している場合）に、その検出結果がデータ線ＤＬ１を介してＣＰＵ１００に送信されるが、当該検出結果の信号（暗電流異常の発生信号）を受信したか否かが判定される。
【０１０５】
そして、判定結果が「Ｎｏ」の場合にはそのまま処理を終了し、「Ｙｅｓ」の場合にはステップＳ２１に移行してパワーオンリセット処理のサブルーチンが実行される。
【０１０６】
ここで、図１１のフローチャートを参照して、パワーオンリセット処理の処理手順について説明する。
【０１０７】
ステップＳ２１０１では、第２のスイッチＳＷ１〜ｎ（ｎは整数。図９に示す例ではｎ＝３）についてオン（ＯＮ）設定処理が行われる。これにより、一旦、全ての第２のスイッチＳＷ１〜ｎはＯＮ状態に設定される。
次いで、ステップＳ２１０２では、第１のスイッチＳＷ０のオフ（ＯＦＦ）設定処理が行われる。
【０１０８】
次にステップＳ２１０３では、系統番号「ｉ」を１に設定（系統ｉ＝１）してステップＳ２１０４に移行する。
【０１０９】
ステップＳ２１０５では、所定時間（パワーオンリセット時間）が経過したかを判定する時間経過確認処理が実行され、パワーオンリセット時間に達するまで待機し、パワーオンリセット時間に達するとパワーオンリセットを実行してステップＳ２１０６に移行する。
ステップＳ２１０６では、ＳＷｉ（即ち、ＳＷ１）のＯＮ設定処理を実行してステップＳ２１０７に移行する。
【０１１０】
ステップＳ２１０７では、ｉ≧ｎとなったか否かを判定する異常系統判定の終了確認処理が行われる。そして、未だｉ≧ｎではないと判定された場合（「Ｎｏ」の場合）にはステップＳ２１０８に移行し、系統番号「ｉ」を「１」インクリメントしてからステップＳ２１０４に移行する。これにより、系統番号「ｉ」が所定数（図１に示す構成ではｉ＝３）に達するまで、ステップＳ２１０４〜２１０７までの処理が繰り返して実行される。
【０１１１】
これにより、暗電流異常が発生している系統に属するＥＣＵについて漏れなくパワーオンリセットを実行することができる。
【０１１２】
一方、ステップＳ２１０７で、ｉ≧ｎとなったと判定された場合（「Ｙｅｓ」の場合）にはステップＳ２１０９に移行して、第１のスイッチＳＷ０のオン設定処理を実行してからステップＳ２１１０に進む。
【０１１３】
ステップＳ２１１０では、全ての第２のスイッチＳＷ１〜ＳＷｎをＯＦＦ設定する処理を実行してから図１０のメイン処理にリターンして処理を終了する。
【０１１４】
以上述べたように、本実施の形態に係る電源制御システムＳ２によれば、何れかのＥＣＵ１〜ＥＣＵ４で暗電流異常が発生しているか否かを判定（検知）することができる。また、パワーオンリセットにより暗電流異常が発生したＥＣＵ１〜ＥＣＵ４の異常復帰動作を行うことができるなどの効果を得ることができる。
【０１１５】
以上、本発明の電源制御システムを図示の実施形態に基づいて説明したが、本発明はこれに限定されるものではなく、各部の構成は、同様の機能を有する任意の構成のものに置き換えることができる。
【符号の説明】
【０１１６】
Ｓ１、Ｓ２…電源制御システム
Ｃ１〜Ｃ６…コネクタ
Ｄ１ａ〜Ｄ１ｃ…逆流防止用ダイオード
ＥＣＵ１〜ＥＣＵ４、ＥＣＵ１０，ＥＣＵ１１…制御装置
Ｌ１〜Ｌ７…配線
Ｎ１〜Ｎ７…ノード
Ｐ１〜Ｐ４…電源装置
Ｒ…センス抵抗
ＳＮ…電流センサ
１００…ＣＰＵ（駆動制御手段）
１０１、１０２…通信用端子
１０４〜１０６…出力端子
１０７…Ａ／Ｄ端子
１５０、１５１…フューズ
２００…コンパレータ
２０１，２０２…Ｉ／Ｆ
３００…二次電池
４００…電流検出手段
５００…電源ライン
５０１Ａ…制御装置
５０１Ｅ…監視装置
５１０…電源スイッチ
５３０…通信ライン
６００…電源制御システム
【図１】
0006374248.tif 000002
【図２】
0006374248.tif 000003
【図３】
0006374248.tif 000004
【図４】
0006374248.tif 000005
【図５】
0006374248.tif 000006
【図６】
0006374248.tif 000007
【図７】
0006374248.tif 000008
【図８】
0006374248.tif 000009
【図９】
0006374248.tif 000010
【図１０】
0006374248.tif 000011
【図１１】
0006374248.tif 000012